(57)【要約】【課題】必要な画質や音質を維持しつつ、映像ストリーム及び音声ストリームを圧縮できるようにする。【解決手段】複数種類の圧縮モードで映像ストリームの圧縮が可能な映像圧縮処理部１３４と、複数種類の圧縮モードで音声ストリームの圧縮が可能な音声圧縮処理部１３５とを設ける。そして、システム制御部１３１によって、映像圧縮処理部１３４及び音声圧縮処理部１３５におけるそれぞれの圧縮モードを決定する。【選択図】図１
2008154132.tif 000002
【特許請求の範囲】
【請求項１】
コンテンツに含まれた映像ストリームと音声ストリームとをそれぞれ圧縮する音声映像ストリーム圧縮装置であって、
複数種類の圧縮モードで前記映像ストリームの圧縮が可能な映像圧縮処理部と、
複数種類の圧縮モードで前記音声ストリームの圧縮が可能な音声圧縮処理部と、
前記映像圧縮処理部及び前記音声圧縮処理部におけるそれぞれの圧縮モードを決定するシステム制御部とを備え、
前記映像圧縮処理部及び前記音声圧縮処理部は、前記システム制御部が決定した圧縮モードで、それぞれ前記映像ストリーム及び前記音声ストリームの圧縮を行なうことを特徴とする音声映像ストリーム圧縮装置。
【請求項２】
請求項１の音声映像ストリーム圧縮装置であって、
前記システム制御部は、前記コンテンツの属性に応じ、前記映像圧縮処理部及び前記音声圧縮処理部におけるそれぞれの圧縮モードを決定することを特徴とする音声映像ストリーム圧縮装置。
【請求項３】
請求項１の音声映像ストリーム圧縮装置であって、
前記映像ストリーム及び前記音声ストリームは、圧縮されて入力されたものであり、
前記システム制御部は、前記コンテンツの属性に応じ、前記映像ストリーム及び前記音声ストリームの何れか一方が圧縮され、他方がそのまま出力されるように制御することを特徴とする音声映像ストリーム圧縮装置。
【請求項４】
請求項１の音声映像ストリーム圧縮装置であって、
前記システム制御部は、前記映像ストリームを表示する表示デバイス装置の解像度、前記音声ストリームを出力するデバイスの音声チャンネル数、及び前記映像ストリーム及び前記音声ストリームの伝送する伝送路の伝送容量に応じ、前記映像圧縮処理部及び前記音声圧縮処理部におけるそれぞれの圧縮モードを決定することを特徴とする音声映像ストリーム圧縮装置。
【請求項５】
請求項２の音声映像ストリーム圧縮装置であって、
前記システム制御部は、前記映像ストリーム及び前記音声ストリームの圧縮モードに応じ、前記映像圧縮処理部及び前記音声圧縮処理部におけるそれぞれの圧縮モードを決定することを特徴とする音声映像ストリーム圧縮装置。
【請求項６】
請求項２の音声映像ストリーム圧縮装置であって、
前記システム制御部は、前記コンテンツの内容に応じ、前記映像圧縮処理部及び前記音声圧縮処理部におけるそれぞれの圧縮モードを決定することを特徴とする音声映像ストリーム圧縮装置。
【請求項７】
請求項５の音声映像ストリーム圧縮装置であって、
前記音声ストリームは、圧縮されて入力されたものであり、
前記システム制御部は、入力された音声ストリームの圧縮モードが非圧縮又は可逆圧縮である場合には、入力された音声ストリームをそのまま出力するように制御することを特徴とする音声映像ストリーム圧縮装置。
【請求項８】
請求項２の音声映像ストリーム圧縮装置であって、
さらに、前記コンテンツの属性を抽出する番組情報抽出部を備え、
前記システム制御部は、前記コンテンツの属性を前記番組情報抽出部から取得することを特徴とする音声映像ストリーム圧縮装置。
【請求項９】
請求項８の音声映像ストリーム圧縮装置と、
前記映像ストリーム及び前記音声ストリームを含んだコンテンツとともに、前記コンテンツの属性を示す情報を含んだ番組情報を受信するチューナーとを備え、
前記番組情報抽出部は、前記番組情報に基づいて、前記コンテンツの属性を抽出することを特徴とする音声映像記録装置。
【発明の詳細な説明】
【技術分野】
【０００１】
本発明は、映像ストリームと音声ストリームとを圧縮する音声映像ストリーム圧縮装置、及び映像ストリームと音声ストリームとを圧縮して記録媒体に記録する音声映像記録装置に関するものである。
【背景技術】
【０００２】
アナログのテレビ放送等の映像コンテンツをデジタル圧縮して記録するビデオ記録装置の一例として、ＨＤＤ（Ｈａｒｄ  Ｄｉｓｋ  Ｄｒｉｖｅ）レコーダやＤＶＤ（Ｄｉｇｉｔａｌ  Ｖｅｒｓａｔｉｌｅ  Ｄｉｓｃ）レコーダなどがある。このようなビデオ録画装置には、テレビ放送の番組一覧の情報を含む番組表データを受信するとともに、ユーザがキーワード等を登録することで、そのキーワード等を情報に含む放送番組の録画予約を自動的に行ってくれる自動予約機能（お好み録画機能やおまかせ録画機能などと呼ばれる）を備えたものも開発されている。
【０００３】
また、昨今、ＢＳ（Ｂｒｏａｄｃａｓｔｉｎｇ  Ｓａｔｅｌｌｉｔｅ）デジタル放送や、１１０度ＣＳ（Ｃｏｍｍｕｎｉｃａｔｉｏｎ  Ｓａｔｅｌｌｉｔｅ）放送や、地上デジタル放送の普及により、デジタル化された圧縮ストリームをＨＤＤに直接記録するモード（通称ＤＲモード）を有するＤＶＤレコーダが普及している。デジタル放送のアナログのテレビ放送との大きな違いは、放送局側から圧縮済みのデジタル化された放送が来ることと、音声のチャンネル数が最高５．１チャンネルであり、音質も従来のアナログテレビよりも高音質であることが挙げられる。また、画像に至っては、ＨＤ（Ｈｉｇｈ  ｄｅｆｉｎｉｔｉｏｎ）化されており、従来のアナログテレビの解像度よりもはるかに、高い解像度となっている。
【０００４】
また、昨今、商品化が始まっているＢＤ（Ｂｌｕ−ｒａｙ  Ｄｉｓｃ）プレーヤ及びレコーダでは、音声のコーデックは、ＬＰＣＭ，Ｄｏｌｂｙ  Ｄｉｇｉｔａｌ，Ｄｏｌｂｙ  Ｄｉｇｉｔａｌ  Ｐｌｕｓ，Ｄｏｌｂｙ  Ｌｏｓｓｌｅｓｓ，ＤＴＳ  ｄｉｇｉｔａｌ  ｓｕｒｒｏｕｎｄ，ＤＴＳ−ＨＤの６種類が存在し、その上、チャンネル数が最高で、８チャンネルある。すなわち、従来のＤＶＤレコーダの音声のコーデックがＬＰＣＭ，Ｄｏｌｂｙ  Ｄｉｇｉｔａｌの２種類であるのと比較して格段に多くなっている。
【０００５】
このように、テレビ放送及びコンテンツの表現方法が多様となる一方、映像のＨＤ化により、記録レートがますます増大している。そのため、例えばＨＤＤ等に記録されているコンテンツを他の記録媒体に記録する場合等に、記録先である記録媒体の容量不足が懸念される。例えば、記録レートによっては、ＢＤ（Ｂｌｕ−ｒａｙ  Ｄｉｓｃ）の単層では３時間、２層記録では６時間程度しか記録できず、また現時点ではその価格は、ＤＶＤ−Ｒの１００倍ぐらいであり、より効率的にコンテンツを圧縮して記録できるビデオ記録装置が求められている。
【０００６】
これに対しては、例えば、コンテンツの再生状況データに基づいて、当該コンテンツの登録条件と同一の条件で録画予約されている番組の記録時の記録モードを決定するビデオ記録装置がある（例えば、特許文献１を参照）。この装置によれば、ＸＰ、ＳＰ、ＬＰ等と呼ばれる記録モード（各記録モードでは、映像ストリーム及び音声ストリームの圧縮モードがそれぞれ予め定められている）のなかから何れかの記録モードが自動的に選択され、記録媒体の限られた容量を効率的に利用することが可能になる。
【特許文献１】特開２００６−１１５２２４号公報
【発明の開示】
【発明が解決しようとする課題】
【０００７】
しかしながら、特許文献１に記載のビデオ記録装置では、選択した記録モードに応じ、映像ストリームの圧縮モードと音声ストリームの圧縮モードが一律に決定されるので、選択された記録モードによっては、音質を重視するコンテンツであっても、コンテンツの魅力を損なう程に音質が劣化したり、逆に画質を重視するコンテンツであっても、コンテンツの魅力を損なう程に画質が劣化したりする可能性がある。
【０００８】
本発明は、上記の問題に着目してなされたものであり、必要な画質や音質を維持しつつ、映像ストリーム及び音声ストリームを圧縮できるようにすることを目的としている。
【課題を解決するための手段】
【０００９】
上記の課題を解決するため、本発明では、映像ストリームの圧縮モードと音声ストリームの圧縮モードとをそれぞれ別個に設定できるようにした。
【００１０】
例えば、本発明の一態様は、
コンテンツに含まれた映像ストリームと音声ストリームとをそれぞれ圧縮する音声映像ストリーム圧縮装置であって、
複数種類の圧縮モードで前記映像ストリームの圧縮が可能な映像圧縮処理部と、
複数種類の圧縮モードで前記音声ストリームの圧縮が可能な音声圧縮処理部と、
前記映像圧縮処理部及び前記音声圧縮処理部におけるそれぞれの圧縮モードを決定するシステム制御部とを備え、
前記映像圧縮処理部及び前記音声圧縮処理部は、前記システム制御部が決定した圧縮モードで、それぞれ前記映像ストリーム及び前記音声ストリームの圧縮を行なうことを特徴とする。
【発明の効果】
【００１１】
本発明によれば、必要な画質や音質を維持しつつ、映像ストリームと音声ストリームとを圧縮することが可能になる。
【発明を実施するための最良の形態】
【００１２】
以下、本発明の実施形態について図面を参照しながら説明する。なお、以下の各実施形態や各変形例の説明において、一度説明した構成要素と同様の機能を有する構成要素については、同一の符号を付して説明を省略する。
【００１３】
《発明の実施形態１》
図１は、本発明の実施形態１に係る音声映像記録装置１００の構成を示すブロック図である。音声映像記録装置１００は、デジタル放送されたコンテンツ（映像ストリームと音声ストリームを含んでいる）を受信する機能に加え、以下の３つの機能を有している。
【００１４】
すなわち、第１の機能は、受信したコンテンツやハードディスク１７０、光ディスク１８０、半導体メモリ１９０に記録されているコンテンツを、元のコンテンツよりも小さな容量に圧縮して、ハードディスク１７０、光ディスク１８０、及び半導体メモリ１９０へ記録する機能である。第２の機能は、受信したコンテンツそのものをハードディスク１７０、光ディスク１８０、及び半導体メモリ１９０へ記録する機能である。第３の機能は、受信したコンテンツやハードディスク１７０、光ディスク１８０、半導体メモリ１９０に記録されているコンテンツを表示デバイス装置２００へ出力する機能である。
【００１５】
なお、音声映像記録装置１００が受信するデジタル放送の一例としては、例えば、地上デジタル放送や、ＢＳデジタル放送や、１１０度ＣＳ放送が挙げられる。これらのデジタル放送は、一般的には、コンテンツとともに電子番組ガイド（Ｅｌｅｃｔｒｉｃ  Ｐｒｏｇｒａｍ  Ｇｕｉｄｅ。以下、ＥＰＧと略記する）を受信することが可能であり、また、地上デジタル放送では、コンテンツに関連する情報を含んだデータ放送も行なわれる場合が多い。
【００１６】
（音声映像記録装置１００の構成）
音声映像記録装置１００は、図１に示すように、チューナー１１０、番組情報抽出部１２０、音声映像ストリーム圧縮装置１３０、多重化処理部１４０、コンテンツ出力装置１５０、及び外部メディア制御部１６０を備えている。
【００１７】
チューナー１１０は、デジタル放送されたコンテンツを受信するデジタルチューナーである。チューナー１１０は、受信したコンテンツに含まれている映像ストリームと音声ストリーム（何れも圧縮されたストリームである）とを分離して出力するようになっている。さらに、チューナー１１０は、ＥＰＧの出力や、また地上デジタル放送を受信した場合にはデータ放送の出力も行なう。
【００１８】
番組情報抽出部１２０は、チューナー１１０が出力したＥＰＧやデータ放送のデータに含まれている番組情報を抽出して音声映像ストリーム圧縮装置１３０に出力するようになっている。番組情報抽出部１２０が抽出する番組情報は、本実施形態では、コンテンツ（番組）のジャンルに関する情報である。なお、ジャンルとは、音楽、スポーツ、映画などのコンテンツの内容を示すものである。
【００１９】
さらに番組情報抽出部１２０は、ハードディスク１７０、光ディスク１８０、及び半導体メモリ１９０間でコンテンツの記録が行なわれる場合には、記録されているコンテンツの内容を示す情報（コンテンツのタイトルやジャンル等）も、記録されているコンテンツから抽出して音声映像ストリーム圧縮装置１３０に出力する。また、番組情報抽出部１２０は、入力されたそのままの映像ストリーム及び音声ストリームも音声映像ストリーム圧縮装置１３０に出力する。
【００２０】
音声映像ストリーム圧縮装置１３０は、映像ストリーム及び音声ストリームをそれぞれ複数種類の圧縮モードで圧縮できるように構成されており、入力された映像ストリーム及び音声ストリームに対してそれぞれ別個に圧縮モードを決定し、決定した圧縮モードで映像ストリーム及び音声ストリームが圧縮された状態で出力する。
【００２１】
なお、上記の圧縮モードとは、圧縮アルゴリズムと圧縮率の両方の意味を含んでいるものとする。圧縮アルゴリズムの例としては、地上デジタル１セグメント（ｓｅｇｍｅｎｔ）放送の圧縮規格であるＭＰＥＧ４−ＡＶＣ（Ｍｏｖｉｎｇ  Ｐｉｃｔｕｒｅｓ  Ｅｘｐｅｒｔｓ  Ｇｒｏｕｐ  Ａｄｖａｎｃｅｄ  Ｖｉｄｅｏ  Ｃｏｄｉｎｇ）や、地上デジタル方法の規格であるＭＰＥＧ２（Ｍｏｖｉｎｇ  Ｐｉｃｔｕｒｅｓ  Ｅｘｐｅｒｔｓ  Ｇｒｏｕｐ）や、ＢＤレコーダの圧縮規格であるＶＣ１等が挙げられる。また、圧縮率とは、映像ストリームでは画像解像度やフレームレート等、音声ストリームではサンプリングレートや、さらには出力チャンネル数の意味を含んでいるものとする。
【００２２】
本実施形態では、音声映像ストリーム圧縮装置１３０は、コンテンツの内容に応じ、映像ストリームと音声ストリームの圧縮モードをそれぞれ別個に決定する。この際、音声映像ストリーム圧縮装置１３０は、入力された時のままの圧縮モードでよいと決定した場合には、そのストリームが入力されたままの状態で出力されるように制御する。なお、入力された時の圧縮モードとは異なる圧縮モードに圧縮することを再圧縮と呼ぶことにする。
【００２３】
音声映像ストリーム圧縮装置１３０は、具体的には、システム制御部１３１、映像再生処理部１３２、音声再生処理部１３３、映像圧縮処理部１３４、及び音声圧縮処理部１３５を備えている。
【００２４】
システム制御部１３１は、番組情報抽出部１２０が抽出した情報を基にコンテンツの内容を分析し、音声映像ストリーム圧縮装置１３０で対応可能な圧縮モードのなかから、出力する映像ストリーム及び音声ストリームのそれぞれの圧縮モードを決定するようになっている。
【００２５】
具体的には、システム制御部１３１は、コンテンツのジャンルに関する情報に基づいて、コンテンツが音声を重視するものであると判断できる場合には、入力された音声ストリームがそのまま多重化処理部１４０に出力されるように制御するとともに、入力された時の状態よりも小さな容量に映像ストリームが圧縮されるように、映像圧縮処理部１３４における圧縮モードを決定する。音声が重視されるジャンルの例としては、例えばコンテンツがコンサートの番組である場合等が挙げられる。
【００２６】
また、システム制御部１３１は、コンテンツのジャンルが映像を重視するものであると判断できる場合には、入力された映像ストリームがそのまま多重化処理部１４０に出力されるように制御するとともに、入力された時の状態よりも小さな容量に音声ストリームが圧縮されるように、音声圧縮処理部１３５における圧縮モードを決定する。映像が重視されるジャンルの例としては、例えば自然の映像番組等が挙げられる。
【００２７】
なお、システム制御部１３１は、ＣＰＵ（Ｃｅｎｔｒａｌ  Ｐｒｏｃｅｓｓｉｎｇ  Ｕｎｉｔ）とＤＲＡＭ（Ｄｙｎａｍｉｃ  ＲＡＭ）とを含んで構成される場合が多い。この構成の場合には、システム制御部１３１は、外部に設けられたフラッシュＲＯＭ（Ｆｌａｓｈ  Ｒｅａｄ  Ｏｎｌｙ  Ｍｅｍｏｒｙ）等に格納されているプログラムを起動時に読み込んで、上記の制御などを行なう。
【００２８】
映像再生処理部１３２は、入力された映像ストリームをベースバンド信号（映像ベースバンド信号と呼ぶ）に復号化して映像圧縮処理部１３４に出力するようになっている。
【００２９】
音声再生処理部１３３は、入力された音声ストリームをベースバンド信号（音声ベースバンド信号と呼ぶ）に復号化して音声圧縮処理部１３５に出力するようになっている。
【００３０】
映像圧縮処理部１３４は、複数種類の圧縮モード（本実施形態では複数種類の画像解像度）で、入力された映像ベースバンド信号を圧縮できるようになっており、システム制御部１３１が決定した圧縮モードに応じ、入力された映像ベースバンド信号を圧縮した映像ストリームを多重化処理部１４０に出力する。
【００３１】
図２は、映像圧縮処理部１３４の構成例を示すブロック図である。この映像圧縮処理部１３４は、映像ベースバンド信号の画像解像度を変換し、変換後の信号を圧縮して出力する。具体的に、映像圧縮処理部１３４は、映像解像度変換器１３４ａと画像エンコーダ１３４ｂとを備えている。
【００３２】
映像解像度変換器１３４ａは、入力された映像ベースバンド信号を複数種類の画像解像度に変換できるようになっており、システム制御部１３１が決定した圧縮モードに応じた画像解像度に、入力された映像ベースバンド信号の画像解像度を変換するようになっている。
【００３３】
画像エンコーダ１３４ｂは、所定の圧縮アルゴリズムで、映像解像度変換器１３４ａが出力した映像ベースバンド信号を再圧縮した映像ストリーム出力するようになっている。画像エンコーダ１３４ｂにおける圧縮アルゴリズムは、特には限定されない。例えば、既述したＭＰＥＧ４−ＡＶＣや、ＭＰＥＧ２や、ＢＤレコーダの圧縮規格であるＶＣ１等を採用できる。
【００３４】
音声圧縮処理部１３５は、複数種類の圧縮モード（本実施形態では、チャンネル数）で、入力された音声ベースバンド信号を圧縮できるようになっており、システム制御部１３１が決定した圧縮モードに応じ、入力された音声ベースバンド信号を圧縮した音声ストリームを多重化処理部１４０に出力する。
【００３５】
図３は、音声圧縮処理部１３５の構成例を示すブロック図である。音声圧縮処理部１３５は、図３に示すように、音声ダウンミックス部１３５ａと音声エンコーダ１３５ｂとを備えている。
【００３６】
音声ダウンミックス部１３５ａは、システム制御部１３１が決定した圧縮モードに応じた出力チャンネル数に、音声ベースバンド信号の出力チャンネル数を変換するようになっている。
【００３７】
例えば、音声ダウンミックス部１３５ａは、５．１チャンネルの音声ベースバンド信号を２チャンネルの音声ベースバンド信号にダウンミックスして出力する。
【００３８】
この場合は、５．１チャンネルの音声として、Ｌ（左チャンネル）、Ｒ（右チャンネル）、Ｃ（センターチャンネル）、Ｓｌ（サラウンド左チャンネル）、Ｓｒ（サラウンド右チャンネル）、ＬＦＥ（低域効果音）と定義すると、以下の積和演算により、５．１チャンネルの音声ベースバンド信号を２チャンネルの音声ベースバンド信号（ｍｉｘＬ、及びｍｉｘＲ）にダウンミックスして出力することができる。
ｍｉｘＬ＝Ａ０×Ｌ＋Ａ１×Ｃ＋Ａ２×Ｓｌ＋Ａ３×Ｓｒ
ｍｉｘＲ＝Ａ０×Ｒ＋Ａ１×Ｃ＋Ａ４×Ｓｌ＋Ａ５×Ｓｒ
ただし、Ａ０〜Ａ５は、係数値である。
【００３９】
音声エンコーダ１３５ｂは、所定の圧縮アルゴリズムで、映像解像度変換器１３４ａが出力した音声ベースバンド信号を圧縮した音声ストリームを出力するようになっている。
【００４０】
なお、音声エンコーダ１３５ｂにおける圧縮アルゴリズムは、特には限定されない。例えば、携帯電話の音声ストリームに用いられているＧ．７２６や、ＢＳデジタル放送や地上デジタル放送で一般的に使われるＭＰＥＧ４−ＡＡＣや、ＤＶＤ系で使われるＡＣ３等を採用できる。
【００４１】
多重化処理部１４０は、入力された映像ストリームと音声ストリームとを多重化して出力するようになっている。
【００４２】
コンテンツ出力装置１５０は、多重化処理部１４０によって多重化されたストリーム（多重化ストリームと呼ぶ）を表示デバイス装置２００及びコンテンツ出力装置１５０に出力するようになっている。コンテンツ出力装置１５０に多重化ストリームを出力する場合には、例えばシリアルＡＴＡ等のインターフェースを利用して出力する。また、表示デバイス装置２００に多重化ストリームを出力する場合には、例えば無線或いは有線のＬＡＮ（Ｌｏｃａｌ  Ａｒｅａ  Ｎｅｔｗｏｒｋ）を利用して出力する。ネットワークの一例としては、例えばＢｌｕｅｔｏｏｔｈやイーサネット（登録商標）等が挙げられる。
【００４３】
外部メディア制御部１６０は、チューナー１１０の出力とコンテンツ出力装置１５０の出力とが入力されており、これらの入力をハードディスク１７０、光ディスク１８０、及び半導体メモリ１９０へ記録、さらにはハードディスク１７０、光ディスク１８０、及び半導体メモリ１９０に記録されているコンテンツの読み出しを行なう。なお、チューナー１１０が出力したコンテンツを直接ハードディスク１７０等に記録する場合には、そのコンテンツに関する番組情報も記録する。
【００４４】
以上の構成により、音声映像記録装置１００では、前記の第１〜第３の機能が実現できる。
【００４５】
（音声映像記録装置１００の動作）
一例としてチューナー１１０が受信したデジタル放送を再圧縮してハードディスク１７０等に記録する場合の動作を説明する。
【００４６】
まず、チューナー１１０は、デジタル放送を受信すると、コンテンツに含まれている映像ストリームと音声ストリームとを分離して番組情報抽出部１２０に出力する。さらにチューナー１１０は、受信したＥＰＧ（又はデータ放送のデータ）を番組情報抽出部１２０に出力する。これにより、番組情報抽出部１２０は、ＥＰＧ（又はデータ放送のデータ）に含まれている番組のジャンルに関する情報を音声映像ストリーム圧縮装置１３０に出力する。
【００４７】
音声映像ストリーム圧縮装置１３０では、ジャンルに関する情報が入力されると、その情報に基づいてシステム制御部１３１が、映像ストリーム及び音声ストリームの圧縮モードを決定する。具体的には、システム制御部１３１は、再圧縮の要否と、再圧縮する場合の解像度や出力チャンネル数を決定する。例えば、コンテンツがコンサートであれば、システム制御部１３１は、音声ストリームがそのまま多重化処理部１４０に出力され、かつ映像ストリームが映像再生処理部１３２に出力されるように制御する。さらに、システム制御部１３１は、入力された映像ストリームよりも解像度が小さくなるように、映像解像度変換器１３４ａにおける圧縮モード（この例では画像解像度）を決定する。
【００４８】
これにより、映像解像度変換器１３４ａからは入力されたよりも小さな画像解像度に変換された映像ストリームが画像エンコーダ１３４ｂに出力され、画像エンコーダ１３４ｂは、これを所定の圧縮アルゴリズムで圧縮した後、多重化処理部１４０に出力する。
【００４９】
多重化処理部１４０は、入力された映像ストリームと音声ストリームとを多重化して、多重化ストリームをコンテンツ出力装置１５０に出力する。この例では、多重化処理部１４０は、受信したコンテンツの音声ストリームそのものと、音声映像ストリーム圧縮装置１３０によって再圧縮された映像ストリームとを多重化する。
【００５０】
そして、コンテンツ出力装置１５０は、所定のインターフェースを介して、多重化ストリームを外部メディア制御部１６０に出力する。これにより、外部メディア制御部１６０によって、例えばハードディスク１７０などに、受信したコンテンツが記録される。
【００５１】
記録されたコンテンツ（この例ではコンサート）は、映像ストリームは再圧縮されて受信した状態よりも容量が少なくなっているため、画質はその分だけ劣化する場合がある。しかし、音声ストリームは、受信されたままの状態で記録されているので、音質の劣化はない。
【００５２】
また、例えば、コンテンツが自然の映像番組等の場合には、音声映像記録装置１００では、映像が重視されるコンテンツであると判断する。そのため、音声ストリームがダウンミックスされて記録され、映像ストリームが受信されたままの状態で記録される。したがって、この場合は、音質は受信した音声ストリームと比べて劣化するが、画質の劣化はない。
【００５３】
また、音声映像記録装置１００では、ハードディスク１７０、光ディスク１８０、及び半導体メモリ１９０間でコンテンツの記録を行う場合には、元のコンテンツとともに記録されている番組情報を基にコンテンツの内容を分析する。そして、コンテンツの内容（ジャンル）に応じて、映像ストリーム及び音声ストリームの圧縮モードをそれぞれ決定する。
【００５４】
以上のように、本実施形態によれば、コンテンツの内容（ジャンル）に応じて、映像ストリーム及び音声ストリームの圧縮モードがそれぞれ別個に決定される。
【００５５】
《発明の実施形態１の変形例１》
音声映像ストリーム圧縮装置１３０へ入力されたコンテンツの内容に応じ、映像圧縮処理部１３４や音声圧縮処理部１３５における圧縮アルゴリズムを決定するようにしてもよい。
【００５６】
本変形例では、複数種類の圧縮アルゴリズムで圧縮ができるように、画像エンコーダ１３４ｂ及び音声エンコーダ１３５ｂを構成する。なお、映像解像度変換器１３４ａや音声ダウンミックス部１３５ａはあってもよいが、これらは必須ではない。
【００５７】
また、システム制御部１３１は、コンテンツの内容に基づいて、コンテンツが画質を重視するものか音質を重視するものかを判断し、判断結果に応じて映像ストリーム及び音声ストリームの再圧縮の要否と、再圧縮する場合の圧縮アルゴリズムを決定するように構成する。
【００５８】
すなわち、本変形例においても、映像ストリーム及び音声ストリームの圧縮モードがそれぞれ別個に決定される。
【００５９】
《発明の実施形態１の変形例２》
システム制御部１３１は、入力されたコンテンツの圧縮モードに応じて、映像ストリーム及び音声ストリームの再圧縮の要否、及び再圧縮する場合の圧縮モードを決定するようにしてもよい。この場合は、例えば、番組情報抽出部１２０などで、コンテンツの圧縮モードの情報を抽出し、その情報をシステム制御部１３１に出力する。
【００６０】
例えば、音声ストリームの圧縮モードが非圧縮であるＬｉｎｅａｒ  ＰＣＭの場合や、ＢＤレコーダで採用されている可逆圧縮アルゴリズムであるＤｏｌｂｙ  Ｌｏｓｓｌｅｓｓの場合には、画質よりも音質に重きを置いたコンテンツと判断される。そこで、本変形例では、システム制御部１３１は、コンテンツの内容（ジャンル）に関わらず、音声ストリームの圧縮モードが非圧縮又は可逆圧縮の場合には、音声ストリームをそのまま出力するように判断する。
【００６１】
すなわち、本変形例においても、映像ストリーム及び音声ストリームの圧縮モードがそれぞれ別個に決定される。
【００６２】
以上のように、実施形態１及びその変形例によれば、コンテンツの属性（コンテンツの属性とは、コンテンツの内容とコンテンツの圧縮モードの両方の意味を含んでいるものとする。）に応じて、映像ストリーム及び音声ストリームの圧縮モードがそれぞれ別個に決定される。それゆえ、必要な画質や音質を維持しつつ、映像ストリームと音声ストリームとを圧縮（すなわちコンテンツを圧縮）することが可能になる。
【００６３】
《発明の実施形態２》
音声映像記録装置１００は、出力先の特性に応じて、映像ストリーム及び音声ストリームの再圧縮の要否と、再圧縮する場合の圧縮モードを決定するようにしてもよい。
【００６４】
ここで、出力先の特性とは、具体的には、表示デバイス装置２００の画像表示解像度や、音声を出力するチャンネル数や、コンテンツ出力装置１５０から表示デバイス装置２００等へ映像及び音声ストリームを伝送する伝送路の伝送容量である。本実施形態では、表示デバイス装置２００の画像表示解像度や音声の出力チャンネル数や伝送路の伝送容量についての情報は、予めシステム制御部１３１が分かっているものとする。
【００６５】
システム制御部１３１では、出力先の画像表示解像度や、出力チャンネル数や、伝送容量に基づいて、映像ストリーム及び音声ストリームの再圧縮の要否と、再圧縮する場合の解像度や出力チャンネル数を決定する。
【００６６】
そして、再圧縮する場合には、システム制御部１３１は、出力が表示デバイス装置２００の画像表示解像度に適するように、映像解像度変換器１３４ａにおける解像度を決定し、画像解像度の変換を行なわせる。また、出力先の出力チャンネルに適するように、音声ダウンミックス部１３５ａにダウンミックスを行なわせる。
【００６７】
したがって、本実施形態では、出力先の表示デバイス装置等に適した画質や音質を維持しつつ、映像ストリームと音声ストリームとを圧縮することが可能になる。
【００６８】
なお、上記の各実施形態や各変形例においては、コンテンツのジャンルに関する情報を必ずしも放送から取得しなくてもよい。例えば、インターネットからジャンルに関する情報を取得するようにしてもよい。
【００６９】
また、受信する放送はアナログ放送（すなわち、音声映像ストリーム圧縮装置に入力される映像ストリーム及び音声ストリームが非圧縮状態）であってもよい。
【００７０】
また、実施形態２でも、実施形態１の変形例１で説明したように、映像圧縮処理部１３４や音声圧縮処理部１３５における圧縮アルゴリズム自体を変更して、再圧縮するようにしてもよい。
【００７１】
また、上記の各実施形態や各変形例では、映像ストリーム及び音声ストリームのうち重視する方を入力されたそのままの圧縮モードで出力していたが、重視する方のストリームも、劣化が許容できる範囲で再圧縮するようにしてもよい。
【産業上の利用可能性】
【００７２】
本発明に係る音声映像ストリーム圧縮装置及び音声映像記録装置は、必要な画質や音質を維持しつつ、映像ストリームと音声ストリームとを圧縮することが可能になるという効果を有し、映像ストリームと音声ストリームとを圧縮する音声映像ストリーム圧縮装置、及び映像ストリームと音声ストリームとを圧縮して記録媒体に記録する音声映像記録装置等として有用である。
【図面の簡単な説明】
【００７３】
【図１】実施形態１に係る音声映像記録装置１００の構成を示すブロック図である。
【図２】映像圧縮処理部１３４の構成例を示すブロック図である。
【図３】音声圧縮処理部１３５の構成例を示すブロック図である。
【符号の説明】
【００７４】
１００      音声映像記録装置
１１０      チューナー
１２０      番組情報抽出部
１３０      音声映像ストリーム圧縮装置
１３１      システム制御部
１３２      映像再生処理部
１３３      音声再生処理部
１３４      映像圧縮処理部
１３４ａ    映像解像度変換器
１３４ｂ    画像エンコーダ
１３５      音声圧縮処理部
１３５ａ    音声ダウンミックス部
１３５ｂ    音声エンコーダ
１４０      多重化処理部
１５０      コンテンツ出力装置
１６０      外部メディア制御部
１７０      ハードディスク
１８０      光ディスク
１９０      半導体メモリ
２００      表示デバイス装置
【図１】
2008154132.tif 000003
【図２】
2008154132.tif 000004
【図３】
2008154132.tif 000005